(57)【要約】【課題】羽毛布団を折りたたみ収納時の膨らみによる収納の非効率を解決する為に、羽毛布団カバーに収納袋を縫い付け、固定させることにより圧縮・縮小させながら一定の形として収める事が出来るようにした収納袋付き羽毛布団カバーを提供する。【解決手段】羽毛布団カバーに収納袋を縫い付け固定させる事により圧縮・縮小させながら一定の形として収める事が出来ることを特徴とする収納袋付き羽毛布団カバー。【選択図】  図３
2005323955.tif 000002
【特許請求の範囲】
【請求項１】
羽毛布団カバーに収納袋を縫い付け固定させる事により圧縮・縮小させながら一定の形として収める事ができることを特徴とする収納袋付き羽毛布団カバー。
【発明の詳細な説明】
【技術分野】
【０００１】  本発明は、羽毛布団の折りたたみ収納時の膨らみによる収納の非効率を解決する為に、羽毛布団カバーに収納袋を縫い付け、固定させることにより圧縮、縮小させながら一定の形として収めることができるようにした収納袋付き羽毛布団カバーに関するものである。
【背景技術】
【０００２】  従来の布団収納袋は、羽毛布団の原型のままであったり、収納時にも滑ったり膨らんでしまって収納効率の良いものではなく、羽毛布団カバーと収納袋が一体型のものではなかった。
【発明の開示】
【発明が解決しようとする課題】
【０００３】  そのために、次のような問題点があった。
従来の収納袋は入れる際に、たたんでも、膨らんでしまうため定型にはならず、押入れ収納時にもかさばり無理な力が入るため、思うように収納しづらく作業効率が低下する難点があった。
本発明は、これらの問題点を解決するためになされたものである。
【課題を解決するための手段】
【０００４】  羽毛布団カバーに収納袋を縫い付け、固定させる事により、圧縮・縮小させながら一定の形として収める事が出来るようにした収納袋付き羽毛布団カバー。
【発明の効果】
【０００５】  本発明は、羽毛布団カバーに収納袋を縫い付けた事により、羽毛布団が大幅に圧縮でき、一定の大きさに固定させることで、収納袋に挿入する作業が容易になり、押入れの３分の１の省スペース化も期待できる。取っ手付きのため、出し入れが簡便である。
【発明を実施するための最良の形態】
【０００６】以下、本発明の実施の形態を説明する。
（イ）図１に示すように、綿・ポリエステル・シルク等の素材を用いて、細長状の収納袋部材（１）を形成する。
（ロ）収納袋部材（１）の開口部は、台形挿入口部分（３）と四角挿入口部分（４）の形状を設けたものである。
（ハ）図２に示すように、双方の開口部を合わせ二つ折りにし裏表とした収納袋（２）は、幅９０ｃｍ・奥行き９０ｃｍとする。収納袋（２）の左右側端部の底部より６０ｃｍ程、開口部に向けて裏表を袋縫いし、袋状とする。
（二）収納袋部材（１）と同種の素材による取っ手（９）は、収納袋（２）の表裏の左側端部の中心より下の位置に図１２に示すように、取っ手（９）を差し込み一緒に袋縫いをする。表返しすると図１０に示すように、取っ手（９）が側面に現れる。取っ手（９）は、無理な力を入れずに押し入れの出し入れが容易に出来るように設けられたものである。
（ホ）図１に示すように、ホック（５）は、台形挿入口部分（３）の裏表開口部に均等に複数取り付ける。ホック（７）は、台形挿入口部分（３）の裏表中央部に均等に複数取り付ける。ホック（６）は、四角挿入口部分（４）の表裏中心より底部寄りに均等に複数取り付ける。
図１０に示すように、台形挿入口部分（３）の開口部に取り付けたホック（５）と、四角挿入口部分（４）に取り付けたホック（６）を合わせ止めると収納完了となる。
図１１−Ａに示すように、就寝時において、収納袋（２）の散乱を防ぐために、収納袋（２）のホック（７）と同じの位置に、羽毛布団カバー上面（１２）に、ホック（８）を均等に複数取り付ける。
（ヘ）図３に示すように、収納袋（２）を羽毛布団カバー上面（１２）に中心線を揃え羽毛布団下部（１１）から３０ｃｍの位置に収納袋底部（１４）及び左右両辺と左右端部から開口部に向けて長さ３０ｃｍ縫い付けたものである。
図３−Ａは、その断面図である。
本発明は、以上の構成よりなっている。
本発明を使用するときは、上記の収納袋付き羽毛布団カバーに羽毛布団（Ａ）を収納した状態とする。
図４に示すように、羽毛布団（Ａ）を裏返し、羽毛布団カバー下面（１３）を表とし縦中心線に向けて図５に示すように折り合わせる。
図６に示すように、羽毛布団上部（１０）の方向から羽毛布団下部（１１）に向けて両手で押圧し空気を抜きながら図７に示すように、収納袋底部（１４）の位置まで巻き込んでいく。その時、羽毛布団（Ａ）の下から収納袋（２）が現れる。
図８−Ａに示すように、作業位置を羽毛布団下部（１１）に移動し図８−Ｂに示すように、台形挿入口部分（３）を巻き込んだ羽毛布団（Ａ）を包み込みながら引き上げる。
図８−Ｃに示すように、四角挿入口部分（４）を羽毛布団（Ａ）の下から裏返しながら手前に引き出す。その結果、裏返しになった収納袋（２）は羽毛布団（Ａ）を包含収納することができる。この時点で羽毛布団（Ａ）は、圧縮・縮小された状態で定型の収納袋（２）に収まる。
図８−Ｃに示すように、四角挿入口部分（４）を台形挿入口部分（３）の内側と羽毛布団（Ａ）の間に挿入する。
図８−Ａ・図８−Ｂ・図８−Ｃは、包含収納の作用順序の断面図である。
図９−Ａ・図９−Ｂは、包含収納の作用順序の斜視図である。
図１０に示すように、台形挿入口部分（３）は、四角挿入口部分（４）の上面に沿って重ね合わせ台形挿入口部分（３）のホック（５）と四角挿入口部分（４）のホック（６）を複数合わせ止めると、収納袋（２）は、羽毛布団（Ａ）を包含収納し収納完了となる。
図１０−Ａは、収納完了後の断面図ある。
図１１に示すように、就寝時の収納袋（２）の形態は、台形挿入口部分（３）と四角挿入口部分（４）を羽毛布団カバー上面（１２）側に、二つ折りにして挿入する。
図１１−Ｂは、挿入途中の断面図である。
図１１−Ｃは、挿入後の断面図である。
図１１−Ａに示すように、羽毛布団カバー上面（１２）のホック（８）と図１１に示すように、台形挿入口部分（３）のホック（７）を複数合わせ止める。
その結果、就寝時の収納袋（２）は、２分の１の面積になり、散乱しにくくなるように設けられたものである。
【図面の簡単な説明】
【０００７】
【図１】  本発明の収納袋部材の展開図である。
【図２】  本発明の収納袋の斜視図である。
【図３】  本発明の斜視図でありＡは断面図である。
【図４】  本発明の作用順序の斜視図である。
【図５】  本発明の作用順序の斜視図である。
【図６】  本発明の作用順序の斜視図である。
【図７】  本発明の作用順序の斜視図である。
【図８】  本発明の作用順序の断面図でありＡは断面図である。Ｂは断面図である。Ｃは断面図である。
【図９】  本発明の作用順序の斜視図でありＡは斜視図である。Ｂは斜視図である。
【図１０】  本発明の収納完了後の斜視図でありＡは断面図である。
【図１１】  本発明の就寝時の斜視図でありＡは斜視図である。Ｂは断面図である。Ｃは断面図である。
【図１２】  本発明の取っ手の側面図である。
【符号の説明】
【０００８】    １    収納袋部材
２    収納袋
３    台形挿入口部分
４    四角挿入口部分
５    ホック
６    ホック
７    ホック
８    ホック
９    取っ手
１０  羽毛布団上部
１１  羽毛布団下部
１２  羽毛布団カバー上面
１３  羽毛布団カバー下面
１４  収納袋底部
Ａ    羽毛布団
【図１】
2005323955.tif 000003
【図２】
2005323955.tif 000004
【図３】
2005323955.tif 000005
【図４】
2005323955.tif 000006
【図５】
2005323955.tif 000007
【図６】
2005323955.tif 000008
【図７】
2005323955.tif 000009
【図８】
2005323955.tif 000010
【図９】
2005323955.tif 000011
【図１０】
2005323955.tif 000012
【図１１】
2005323955.tif 000013
【図１２】
2005323955.tif 000014